(57)【要約】      （修正有）【課題】コルセット本体が視認されず、また作業による位置ずれが生じにくい作業者用コルセットを提供する。【解決手段】本発明の作業者用コルセット１は、腰部に巻回可能な帯状のコルセット本体２と、このコルセット本体を被覆するようコルセット本体の外面に取り付けられる腰巻部を有するエプロン３とを備え、上記コルセット本体が、一方の長辺付近で上記腰巻部に固着される固着部２１と、上記固着部以外であって、上記腰巻部に固着されていない自由部２５とを有する。上記固着部が、上記コルセット本体の長辺中央付近に設けられているとよい。上記固着部が、上記コルセット本体の長手方向長さの０．１倍以上０．４倍以下の幅を有するとよい。上記腰巻部の上辺から上記固着部の上辺までの距離が１ｃｍ以上１０ｃｍ以下であるとよい。【選択図】図１
2013079467.tif 000002
【特許請求の範囲】
【請求項１】
腰部に巻回可能な帯状のコルセット本体と、
このコルセット本体を被覆するようコルセット本体の外面に取り付けられる腰巻部を有するエプロンと
を備え、
上記コルセット本体が、
一方の長辺付近で上記腰巻部に固着される固着部と、
上記固着部以外であって、上記腰巻部に固着されていない自由部と
を有する作業者用コルセット。
【請求項２】
上記固着部が、上記コルセット本体の長辺中央付近に設けられている請求項１に記載の作業者用コルセット。
【請求項３】
上記固着部が、上記コルセット本体の長手方向長さの０．１倍以上０．４倍以下の幅を有する請求項１又は請求項２に記載の作業者用コルセット。
【請求項４】
上記腰巻部の上辺から上記固着部の上辺までの距離が１ｃｍ以上１０ｃｍ以下である請求項１、請求項２又は請求項３に記載の作業者用コルセット。
【請求項５】
上記自由部の外面に固着され、上記コルセット本体の外面から腰部に巻回可能な補助ベルトをさらに備える請求項１から請求項４のいずれか１項に記載の作業者用コルセット。
【請求項６】
上記エプロンが、上部に設けられ、腰部に巻回させて固定する紐を有する請求項１から請求項５のいずれか１項に記載の作業者用コルセット。
【請求項７】
上記コルセット本体及び上記腰巻部の上辺及び下辺が、展開状態においてそれぞれ下向きに凸となる湾曲を有する請求項１から請求項６のいずれか１項に記載の作業者用コルセット。
【請求項８】
上記腰巻部の外面にポケットを有する請求項１から請求項７のいずれか１項に記載の作業者用コルセット。
【発明の詳細な説明】
【技術分野】
【０００１】
本発明は、作業者用コルセットに関する。
【背景技術】
【０００２】
腰痛の防止及び緩和手段として、腰部に巻回して用いる医療用コルセットが普及している。この医療用コルセットは、弾性を有する帯状のサポートベルトから形成され、腰部に巻回することによって、骨盤を適切な姿勢で固定支持するものである。医療用コルセットを習慣的に装着することによって、骨盤等の矯正等が行われ腰痛の防止及び緩和効果を得ることができる。
【０００３】
このような医療用コルセットは、通常衣服の上から腰部に巻回される。しかし、一般的に医療用コルセットは外観上好ましくないものであるため、コルセットは他者から視認されないことが好ましい。そこで、コルセットをエプロンで被覆して視認されないようにエプロンと一体化させたコルセットが考案されている（特開２００７−１８６８３５号公報等参照）。
【０００４】
上記コルセットにおいては、エプロンの内面に面ファスナ及びループによってコルセット本体（腰痛バンド）が固定されている。そのため、コルセット本体とエプロンとを一体的に腰部に巻回する構造を有しており、装着後コルセット本体がエプロンによって被覆され、外部から視認されにくくなるという特徴を有している。
【０００５】
しかし、上記発明のコルセットにおいては、コルセット本体の長手方向幅（巻回方向幅）がエプロンよりも大きく、その一部（面ファスナ部）がエプロンの端部から突出する構造を有しており、コルセット本体が完全には被覆されていない。また、コルセット本体がエプロンに面ファスナ及びループによって巻回方向全体に亘って固定されているため、装着者の動作によってコルセットの形状等が変化した場合に、コルセット本体に連動してエプロンも形状変化を起こし、エプロンにしわが生じやすいという不都合を有する。また逆に、エプロンが変形等したときに、エプロンに連動してコルセット本体の位置がずれやすいという不都合も有している。特に、姿勢を変えやすい作業を行う作業者がこのコルセットを装着する場合には、コルセット本体の位置ずれが極めて生じやすい。
【先行技術文献】
【特許文献】
【０００６】
【特許文献１】特開２００７−１８６８３５号公報
【発明の概要】
【発明が解決しようとする課題】
【０００７】
本発明は、上述のような事情に基づいてなされたものであり、コルセット本体が視認されず、また作業による位置ずれが生じにくい作業者用コルセットを提供することを目的とする。
【課題を解決するための手段】
【０００８】
上記課題を解決するためになされた発明は、
腰部に巻回可能な帯状のコルセット本体と、
このコルセット本体を被覆するようコルセット本体の外面に取り付けられる腰巻部を有するエプロンと
を備え、
上記コルセット本体が、
一方の長辺付近で上記腰巻部に固着される固着部と、
上記固着部以外であって、上記腰巻部に固着されない自由部と
を有する作業者用コルセットである。
【０００９】
当該作業者用コルセットは、上記コルセット本体と、このコルセット本体を被覆する上記エプロンとを備えることによって、作業者が装着すると上記コルセット本体が上記エプロンに被覆されるため、コルセット本体が外面側から視認されない。さらに、上記コルセット本体が、一方の長辺付近で上記エプロンのコルセット本体の外面に取り付けられる腰巻部に固着され、この腰巻部に固着される固着部以外の自由部が腰巻部に固着されていないことによって、仮に作業者の動作や姿勢変化によってコルセット本体の形状や位置が変化してもエプロンにこの変化が伝わりにくく、コルセット本体に連動してエプロンにしわが生じることを防止することができる。また逆にエプロンの形状が変化した場合に、エプロンに連動してコルセット本体の位置がずれることを防止することができる。そのため、当該作業者用コルセットは、腰部に負担が加わるような姿勢の変化を伴う作業に従事する作業者用のコルセットとして好適に用いることができる。また、エプロンとコルセット本体が一体化しているため、作業者がコルセットの装着を失念したり、コルセット本体を紛失したりすることを防止することができる。
【００１０】
上記固着部が、上記コルセット本体の長辺中央付近に設けられているとよい。このように固着部を設けることによって、コルセット本体を巻回する時にエプロンが垂れ下がりにくくなって、コルセット本体の巻回後にエプロンを巻回しやくなるため、当該作業者用コルセットの装着性が向上する。
【００１１】
上記固着部が、上記コルセット本体の長手方向長さの０．１倍以上０．４倍以下の幅を有するとよい。固着部が上記範囲の幅を有することによって、当該作業者用コルセットの装着性を維持しつつ、コルセット本外の形状や位置の変化に連動したエプロンのしわ発生やエプロンの形状変化に連動したコルセット本体のずれを防止することができる。そのため、作業者の動作や姿勢変化に対するエプロンのしわ発生防止及びコルセット本体の位置ずれ防止効果をさらに向上させることができる。
【００１２】
上記腰巻部の上辺から上記固着部の上辺までの距離が１ｃｍ以上１０ｃｍ以下であるとよい。腰巻部の上辺から固着部の上辺までの距離を上記範囲とすることによって、上記コルセット本体の巻回後に、上記エプロンの固定位置を調整することができ、当該作業者用コルセットの装着性を向上させることができる。
【００１３】
上記自由部の外面に固着され、上記コルセット本体の外面から腰部に巻回可能な補助ベルトをさらに備えるとよい。このような補助ベルトを備えることによって、腰部にコルセット本体を巻回した後、この補助ベルトを巻回することでコルセット本体に必要な締付力を付加することができ、当該作業者用コルセットの装着性を向上させることができる。また、コルセット本体をより確実に固定することができるため、作業者の動作や姿勢変化に対するコルセット本体の位置ずれ防止効果をさらに向上させることができる。
【００１４】
上記エプロンが、上部に設けられ、腰部に巻回させて固定する紐を有するとよい。このような紐を有することによって、エプロンを腰部に確実に固定させることができ、エプロン及びコルセット本体の位置ずれ防止効果をより向上させることができる。
【００１５】
上記コルセット本体及び上記腰巻部の上辺及び下辺が、展開状態においてそれぞれ下向きに凸となる湾曲を有するとよい。このような形状をコルセット本体及び腰巻部が有することによって、腰部の形状に的確に追従させながらコルセット本体及びエプロンを巻回することができるため、当該作業者用コルセットの装着性と、コルセット本体及びエプロンの位置ずれ防止効果とをさらに向上させることができる。
【００１６】
上記腰巻部の外面にポケットを有するとよい。このように当該作業者用コルセットが腰巻部の外面にポケットを有することによって、例えば筆記具等の作業者が用いる道具類をこのポケットに格納することができるため、当該作業者用コルセットを装着した作業者の作業性を向上させることができる。
【発明の効果】
【００１７】
以上説明したように、本発明の作業者用コルセットは、コルセット本体が視認されず、また作業による位置ずれが生じにくいため、作業者が好適に装着することができる。
【図面の簡単な説明】
【００１８】
【図１】本発明の一実施形態に係る作業者用コルセットの展開状態を示す模式的平面図であり、（ａ）は内面側から見た模式的平面図であり、（ｂ）は外面側からみた模式的平面図である。
【図２】図１の作業者用コルセットの装着状態を示す参考図である。
【図３】図１の作業者用コルセットの装着手順を示す参考図である。
【発明を実施するための形態】
【００１９】
以下、適宜図面を参照しつつ、本発明の実施形態を詳説する。
【００２０】
図１、図２及び図３に示す作業者用コルセット１は作業者Ｘの腰部に装着され、コルセット本体２、エプロン３及び補助ベルト４を備えている。コルセット本体２は、上側長辺（上辺）付近の固着部２１においてエプロン３の腰巻部３１に固着されている。補助ベルト４は、コルセット本体２の固着部２１以外であって腰巻部３１に固着されていない自由部の外面に固着されている。
【００２１】
＜コルセット本体＞
コルセット本体２は、伸縮性を有する帯状部材で形成されており、腰部に巻回可能な帯状の形状を有し、上辺及び下辺が展開状態において下向きに凸となる湾曲を有している。またコルセット本体２は、腰部の背面部分に当接する背面部２２、この背面部２２の長手方向両端に接続され腰部の側面部分に当接する２つの側面部２３及びこの２つの側面部２３の背面部２２と反対側の端に接続され腹部の正面部分と当接する自由端部２４を有する。この自由端部２４にはコルセット本体２を固定する係止手段が設けられる。この係止手段としては、特に限定されるものではなく、例えばホック等を用いることができるが、係止強度や装着性の点から面ファスナが好ましく、２つの自由端部２４はそれぞれ面ファスナを有している。コルセット本体２は、腰部に巻回した後、２つの自由端部の面ファスナを結合して両端を係止することによって、一定の締付力を腰部に付与した状態で固定することができる。
【００２２】
また、コルセット本体２は背面部２２の上端部に上記腰巻部３１が固着される固着部２１を有する。固着部２１は、コルセット本体２の上辺に沿って、コルセット本体２の上辺中央付近（背面部２２の上辺）に設けられている。コルセット本体２のこの固着部２１以外の部位はエプロン３と固着されない自由部２５を形成する。
【００２３】
固着部２１の長手方向幅の上限としては、コルセット本体２の長手方向長さの０．４倍が好ましく、０．３５倍がより好ましい。一方、固着部２１の長手方向幅の下限としては、コルセット本体２の長手方向長さの０．１倍が好ましく、０．１５倍がより好ましい。固着部２１の幅が上記上限を超える場合、作業者の動作や姿勢変化によってコルセット本体２の位置や形状が変化した場合にエプロン３に変化が伝わりやすいため、エプロン３にしわが生じやすくなり、またエプロン３の形状が変化した場合にコルセット本体２の位置ずれが生じやすくなるおそれがある。逆に、固着部２１の長手方向幅が上記下限値未満の場合、装着時にエプロン３が窄まりやすく当該作業者用コルセットの装着性が低下するおそれがあるほか、コルセット本体２とエプロン３との固着強度が弱くなって装着時等に分離するおそれがある。
【００２４】
また固着部２１の上下方向幅としては、１ｃｍ以上５ｃｍ以下が好ましい。固着部２１の上下方向幅を上記範囲とすることによって、腰巻部３１との固着強度を維持しつつ、コルセット本体２の位置や形状が変化した場合にエプロン３にしわが発生することや、エプロン３の形状が変化した場合にコルセット本体２の位置がずれることを防止することができる。
【００２５】
＜エプロン＞
エプロン３は、腰部に巻回される帯状の腰巻部３１と、この腰巻部３１の上部に設けられ腰部に巻回させてエプロン３を固定する紐３２ａ、３２ｂとを有する。腰巻部３１は、この紐３２ａ、３２ｂを挿通させるループ３３及び紐孔３４と、腰巻部３１の外面に設けられたポケット３５とを有する。上記ループ３３及び紐孔３４は、腰巻部３１の外面の上辺部に形成されている。腰巻部３１は、コルセット本体２の外面に取り付けられ、巻回状態で上記コルセット本体２を被覆可能な長手方向及び短手方向の長さを有する。また、腰巻部３１の上辺及び下辺が展開状態においてそれぞれ下向きに凸となる湾曲を有する。さらに、上記腰巻部３１の上辺付近には、上述のようにコルセット本体２の固着部２１が固着されている。エプロン３は、腰部に腰巻部３１を巻回した後、紐３２ａ、３２ｂをループ３３及び紐孔３４に挿通させながら腰巻部３１の上辺部に巻回して固縛することによって、作業者の腰部に装着することができる。
【００２６】
エプロン３においては、上述のように上記固着部２１が腰巻部３１に固着されている。具体的には、上記腰巻部３１の上辺よりも下方でかつ腰巻部３１の外面側から見て左端付近の位置に上記固着部２１が固着されることによって、エプロン３が上記コルセット本体２と一体化されている。固着部２１は、その上辺が腰巻部３１の上辺と平行となるように固着される。腰巻部３１の上辺から固着部２１の上辺までの距離の上限としては、１０ｃｍが好ましく、８ｃｍがより好ましく、５ｃｍがさらに好ましい。一方、腰巻部３１の上辺から固着部２１の上辺までの距離の下限としては、１ｃｍが好ましく、１．２ｃｍがより好ましく、１．５ｃｍがさらに好ましい。腰巻部３１の上辺から固着部２１の上辺までの距離が上記上限を超える場合、エプロン３の腰部への固定時に腰巻部３１の上辺と固着部２１の上辺とに挟まれる部位がたわんで装着後の外観が低下するおそれがある。逆に、腰巻部３１の上辺から固着部２１の上辺までの距離が上記下限値未満の場合、エプロン３の腰部に対する固定位置が好適に調節できず、当該作業者用コルセット１の装着性が低下するおそれがある。固着部２１と腰巻部３１とは、例えば、縫合によって固着させることができる。
【００２７】
上記紐３２ａ、３２ｂは、腰巻部３１の側端の上部に接合された１対の紐であり、一方の紐３２ａは外面側から見て腰巻部３１の左側端に接合され、他方の紐３２ｂは右側端に接合されている。上記ループ３３は、具体的には、腰巻部３１の外面に、腰巻部３１の上辺を略等間隔に分割する位置に２つ配設されている。また、紐孔３４は、腰巻部３１の上辺で外面側から見て右端からの距離が、腰巻部３１の上辺の長さの約１／３となる位置で、上記ループ３３よりも右端側に設けられている。紐３２ａ、３２ｂの幅は特に限定されるものではないが、例えば、１ｃｍ以上５ｃｍ以下が好ましい。また、ループ３３の数及び位置は上述のものに限定されるものではなく、適宜設計することができる。
【００２８】
ポケット３５は、上記腰巻部３１の外面に、腰巻部３１の外面側から見て右端からの距離が、腰巻部３１の上辺の長さの約１／３以上約２／３以下となる範囲に設けられている。このポケット３５の数及び大きさは、当該作業者用コルセット１を装着する作業者の作業内容に合わせて適宜設計することができる。また、収納する物品の形状等にあわせて形状の異なる複数のポケットを設けてもよい。
【００２９】
＜補助ベルト＞
補助ベルト４は、上記コルセット本体２の自由部２５の外面に固着され、コルセット本体２の外面から腰部に巻回可能な帯状の形状を有する。具体的には、補助ベルト４はゴムバンドで構成されており、２本の帯状のゴムバンドの両端をそれぞれ接合し、接合した両端に係止手段として面ファスナ４１ａ、４１ｂが設けられている。そしてこの２本のゴムバンドの中央部が、上記コルセット本体２の背面部２２の外面にお互い重ならないよう上下にずらした位置で固着されている。補助ベルト４は、腰部に巻回した後、面ファスナ４１ａ、４１ｂを結合して両端を係止することによって、腰部に巻回したコルセット本体２の締付力を調製することができる。上記自由部と補助ベルト４とは、例えば、縫合によって固着させることができる。また、上記係止手段として、面ファスナ以外にホック等を用いてもよい。
【００３０】
補助ベルト４を構成するゴムバンドの幅は、特に限定されるものではないが、例えば、コルセット本体２の幅の１／１０以上３／４以下であることが好ましい。ゴムバンドの幅をこのような範囲とすることで、適度な締付力を付与しつつコルセット本体２を腰部に固定することができる。
【００３１】
＜装着方法＞
次に、当該作業者用コルセット１の装着方法について説明する。当該作業者用コルセット１は、図１に示した展開状態から、以下の手順で作業者が装着することができる。
【００３２】
まず、コルセット本体２及びエプロン３の上辺部が腰部の上部に位置するように背面部２２を腰部に当てる。次に、コルセット本体２の側面部２３、自由端部２４を巻回し、自由端部２４が有する面ファスナを結合して係止することによって、コルセット本体２を図３に示すように腰部に巻回した状態で固定する。
【００３３】
コルセット本体２を固定した後に、補助ベルト４をコルセット本体２の外面側から腰部に巻回して面ファスナ４１ａ、４１ｂを結合して係止して固定する。このとき、コルセット本体２の締付力が適度となるように補助ベルト４の巻回位置等を調製する。
【００３４】
補助ベルト４を固定した後に、エプロン３の腰巻部３１を腰部に巻回する。このとき、外面側から見て腰巻部３１の左側端に接合された紐３２ａを上方から見て時計回りで腰部に巻回させながら紐孔３４に挿通し、その後紐孔３４に近接する外面側から見て右側のループ３３に挿通させる。また、外面側から見て腰巻部３１の右側端に接合された紐３２ｂを上方から見て反時計回りで腰部に巻回させながら外面側から見て左側のループ３３に挿通させる。最後に、これらの紐３２ａ、３２ｂの先端部をエプロン３の外面側で固縛することによって、エプロン３が腰部に巻回された状態で固定され、図２に示す装着状態を得ることができる。
【００３５】
当該作業者用コルセット１は、コルセット本体２と、このコルセット本体２を被覆するエプロン３とを備えることによって、作業者の装着後にコルセット本体２がエプロン３に被覆され、コルセット本体２が外面側から視認されない。具体的には、長手方向にはエプロン３がコルセット本体２に重ねて巻回されることでコルセット本体２が被覆され、上下方向にはエプロン３がコルセット本体２の上下幅よりも大きい上下幅を有することでコルセット本体２が被覆される。また、コルセット本体２が、上辺の中央付近の固着部２１でのみエプロン３の腰巻部３１に固着されていることによって、仮に作業者の動作や姿勢変化によってコルセット本体２の形状や位置が変化してもエプロン３にこの変化が伝わりにくく、コルセット本体２に連動してエプロン３にしわが生じることを防止することができる。また逆にエプロン３の形状が変化した場合に、エプロン３に連動してコルセット本体２の位置がずれることを防止することができる。さらに、ゴムバンドで構成される補助ベルト４によってコルセット本体２に適度な締付力が付与される。また、エプロン３が有する紐３２ａ、３２ｂによってエプロン３が腰部に固定されるため、エプロン３及びコルセット本体２の位置ずれが生じにくい。そのため、当該作業者用コルセット１は、腰部に負担が加わるような姿勢の変化を伴う作業に従事する作業者用のコルセットとして好適に用いることができる。このような作業としては、例えば、介護、配送、給仕、家事等の作業を挙げることができる。
【００３６】
＜その他の実施形態＞
本発明の作業者用コルセットは、上述の実施形態に限定されるものではなく、以下のような実施形態とすることもできる。
【００３７】
上記実施形態では、エプロンとしてスカート状の腰巻部のみからなるエプロンを用いたが、本発明の実施形態はこれに限定されるものではなく、腰巻部に加えて胸当部を有するエプロンを用いることもできる。このような胸当部を有するエプロンとしては、例えば、胸当部を上記実施形態における腰巻部にボタンによって係合し、紐等の固定手段を用いて上半身に固定するもの等を用いることができる。
【００３８】
また上記実施形態では、補助ベルトをコルセット本体とエプロンとの間に設けたが、補助ベルトは必須の構成要件ではなく、当該作業者用コルセット装着時の手間の低減を優先して補助ベルトを設けない実施形態も本発明の意図する範囲内である。また、補助ベルトを設ける場合、その素材としては腰部に巻回して固定することができるものであれば特に限定されるものではなく、ゴムバンドの他に、例えば、伸縮性を有しない通常の紐や布等を用いることができる。
【００３９】
また上記実施形態では、エプロンの位置固定手段として、腰巻部に固定された紐を用いたが、本発明の実施形態はこれに限定されるものではなく、エプロンに固定されていない位置固定手段を用いることもできる。このような位置固定手段としては、例えば、エプロンの長手方向幅よりも大きい長さを有する紐やベルト等を用いることができ、エプロンの上部にエプロンに重ねて巻回することでエプロンの位置を固定することができる。
【００４０】
また、コルセット本体及び腰巻部の上辺及び下辺は必ずしも下向きに凸となる湾曲を有する必要はなく、製造コストを低減する目的から直線状であってもよい。
【産業上の利用可能性】
【００４１】
以上のように、本発明の作業者用コルセットは、コルセット本体が視認されず、また作業による位置ずれが生じにくいため、作業者が好適に装着することができる。
【符号の説明】
【００４２】
１  作業者用コルセット
２  コルセット本体
２１  固着部
２２  背面部
２３  側面部
２４  自由端部
２５  自由部
３  エプロン
３１  腰巻部
３２ａ、３２ｂ  紐
３３  ループ
３４  紐孔
３５  ポケット
４  補助ベルト
４１ａ、４１ｂ  面ファスナ
Ｘ  作業者
【図１】
2013079467.tif 000003
【図２】
2013079467.tif 000004
【図３】
2013079467.tif 000005